(57)【要約】　　　（修正有）【課題】連なった光源を内蔵したチューブライトを装飾用フレームの形状に沿って固定し、チューブライトを発光させて充分な装飾的効果を得ると共に、装飾用フレームへのチューブライトの取り付けが極めて容易である装飾用照明装置を提供する。【解決手段】装飾用照明装置は、任意形状の装飾用フレーム１と、連なった光源２を内蔵した軟質のチューブライト３とから成り、装飾用フレーム１の形状に沿ってチューブライト３を固定している。また、装飾用フレーム１に複数の係合部１０を設け、装飾用フレーム１の係合部１０にチューブライト３を係着させて、装飾用フレーム１の形状に沿ってチューブライト３を固定している。【選択図】　　　　　図３
0003098039.tif 000002
【実用新案登録請求の範囲】
【請求項１】
任意形状の装飾用フレームと、連なった光源を内蔵した軟質のチューブライトとから成り、装飾用フレームの形状に沿ってチューブライトを固定したことを特徴とする装飾用照明装置。
【請求項２】
装飾用フレームに複数の係合部を設け、装飾用フレームの係合部にチューブライトを係着させて、装飾用フレームの形状に沿ってチューブライトを固定した請求項１に記載の装飾用照明装置。
【請求項３】
装飾用フレームの係合部は、装飾用フレームの幅方向において、向かい合うように立設した一対の挟持片から成る請求項２に記載の装飾用照明装置。
【請求項４】
装飾用フレームには、裏面側・表面側・上面側・下面側等に吸盤を取り付けている請求項１乃至３のいずれかに記載の装飾用照明装置。
【請求項５】
吸盤は、巻回具を介して装飾用フレームに取り付けられている請求項４に記載の装飾用照明装置。
【請求項６】
巻回具は、一面に連続した突片を設けた締結帯と、締結帯の基端部に位置して締結帯の先端側を貫通させる環状の固定体とから成り、固定体は、貫通している締結帯の突片に係止する係止片を備えている請求項５に記載の装飾用照明装置。
【請求項７】
吸盤は、吸着面体と、吸着面体の裏面に設けた突出状の接続体とから成り、接続体は孔を備え、接続体の孔に巻回具の締結帯を貫通させた状態で、装飾用フレームとチューブライトに締結帯を巻回し、締結帯の先端側を固定体に貫通させて、装飾用フレームに吸盤を取り付けた請求項４乃至６のいずれかに記載の装飾用照明装置。
【考案の詳細な説明】
【０００１】
【考案の属する技術分野】
本考案は、例えば、クリスマスツリーや種々のクリスマスイルミネーション等に使用される装飾用照明装置に関するものである。
【０００２】
【従来の技術】
従来より、クリスマスツリーや種々のクリスマスイルミネーション等に使用される装飾用照明装置として、種々の構造のものが提案されている。
【０００３】
この装飾用照明装置としては、例えば、電線を接続している合成樹脂製のソケットに、小型の豆電球等を装着したものが一般的である。
【０００４】
また、種々の形態の装飾用フレームに、複数のソケットと豆電球を取り付けたものも存在する。
【０００５】
【考案が解決しようとする課題】
しかしながら、ソケットに豆電球等を装着した従来の装飾用照明装置では、光源としての豆電球が一般的に光るのみであるため、充分な装飾的効果が得られなかった。
【０００６】
また、種々の形態の装飾用フレームに、複数のソケットと豆電球を取り付けた装飾用照明装置では、ソケットと電球を装飾用フレームに取り付ける作業が非常に面倒であった。
【０００７】
そこで本考案は、叙上のような従来存した問題点に鑑み創案されたもので、連なった光源を内蔵したチューブライトを装飾用フレームの形状に沿って固定し、チューブライトを発光させて充分な装飾的効果を得ると共に、装飾用フレームへのチューブライトの取り付けが極めて容易である装飾用照明装置を提供することを目的とする。
【０００８】
【課題を解決するための手段】
上述した目的を達成するため、本考案に係る装飾用照明装置は、任意形状の装飾用フレームと、連なった光源を内蔵した軟質のチューブライトとから成り、装飾用フレームの形状に沿ってチューブライトを固定したことで、上述した課題を解決した。
【０００９】
また、装飾用フレームに複数の係合部を設け、装飾用フレームの係合部にチューブライトを係着させて、装飾用フレームの形状に沿ってチューブライトを固定したことで、同じく上述した課題を解決した。
【００１０】
さらに、装飾用フレームの係合部は、装飾用フレームの幅方向において、向かい合うように立設した一対の挟持片から成ることで、同じく上述した課題を解決した。
【００１１】
また、装飾用フレームには、裏面側・表面側・上面側・下面側等に吸盤を取り付けていることで、同じく上述した課題を解決した。
【００１２】
加えて、吸盤は、巻回具を介して装飾用フレームに取り付けられていることで、同じく上述した課題を解決した。
【００１３】
また、巻回具は、一面に連続した突片を設けた締結帯と、締結帯の基端部に位置して締結帯の先端側を貫通させる環状の固定体とから成り、固定体は、貫通している締結帯の突片に係止する係止片を備えていることで、同じく上述した課題を解決した。
【００１４】
この他、吸盤は、吸着面体と、吸着面体の裏面に設けた突出状の接続体とから成り、接続体は孔を備え、接続体の孔に巻回具の締結帯を貫通させた状態で、装飾用フレームとチューブライトに締結帯を巻回し、締結帯の先端側を固定体に貫通させて、装飾用フレームに吸盤を取り付けたことで、同じく上述した課題を解決した。
【００１５】
【考案の実施の形態】
以下に、図面を参照して本考案の一実施の形態を説明する。本考案に係る装飾用照明装置は、図１・図３に示すように、任意形状の装飾用フレーム１と、連なった光源２を内蔵した軟質のチューブライト３から成り、装飾用フレーム１の形状に沿ってチューブライト３を固定している。
【００１６】
装飾用フレーム１は、例えば、図１に示すように、板部材をサンタクロースの姿となるように形成している。この装飾用フレーム１の内側には、複数の連結部材４が配され、装飾用フレーム１を補強している。連結部材４は、例えば、サンタクロースの顔の部分、腹の部分、手足の部分等の形態を示すように配されている。
【００１７】
尚、装飾用フレーム１の形状は、サンタクロースの姿に限定されることはなく、例えば、図２に示すように、クリスマスツリーの姿となるように形成してもよい。この他、装飾用フレーム１は、例えば、星の姿、雪の結晶の姿、トナカイの姿、靴の姿等、どのような形状であっても差し支えない。
【００１８】
装飾用フレーム１に固定するチューブライト３は、図３に示すように、透光性、可撓性、耐熱性、防水性等を備えた軟質の合成樹脂製のチューブ５内に、例えば、発光ダイオード（ＬＥＤ）や電球等の電気的に接続された光源２を複数配している。このチューブライト３は、透明であってもよいし、また、必要に応じて各種の色を施してもよい。さらに、チューブ５内には、光源２を挟むようにして、２本の針金部材６が埋め込まれている。この針金部材６により、チューブライト３全体の曲がり状態が保持されている。この他、チューブライト３の先端部は、図１に示すように、プラグ７を備えた電源コード８に接続されている。また、チューブライト３の基端部は、防水性のキャップ９により封止されている。
【００１９】
そして、図１・図３に示すように、装飾用フレーム１に複数の係合部１０を設け、装飾用フレーム１の係合部１０にチューブライト３を係着させて、装飾用フレーム１の形状に沿ってチューブライト３を固定している。装飾用フレーム１の係合部１０は、図３・図４に示すように、装飾用フレーム１の幅方向において、向かい合うように立設した一対の挟持片１０Ａ，１０Ｂから成る。両挟持片１０Ａ，１０Ｂの先端側は、互いに内側を向くように若干湾曲している。
【００２０】
一方、装飾用フレーム１は、図３・図４に示すように、裏面側に吸盤１１を備えている。この吸盤１１は、図４に示すように、装飾用フレーム１の裏面側に一体的に取り付けてもよい。また、図５・図６に示すように、別体としての吸盤１１を用意し、この吸盤１１を巻回具１２により装飾用フレーム１に取り付けてもよい。
【００２１】
巻回具１２は、例えば、一面に連続した突片１３を設けた締結帯１４と、締結帯１４の基端部に位置して締結帯１４の先端側を貫通させる環状の固定体１５とから成り、固定体１５は、貫通している締結帯１４の突片１３に係止する係止片１６を備えている。
【００２２】
巻回具１２により取り付ける吸盤１１は、図５に示すように、吸着面体１７と、吸着面体１７の裏面に設けた突出状の接続体１８とから成る。この接続体１８は、孔１９を備えている。そして、図６に示すように、接続体１８の孔１９に巻回具１２の締結帯１４を貫通させた状態で、装飾用フレーム１とチューブライト３に締結帯１４を巻回し、締結帯１４の先端側を固定体１５に貫通させて、固定体１５の係止片１６に締結帯１４の突片１３を係止させる。このようにして、巻回具１２の締結帯１４を締め付けて、装飾用フレーム１に吸盤１１を取り付けるのである。
【００２３】
次に、本考案に係る装飾用照明装置を組み付ける一例を説明する。まず、図１・図３に示すように、光源２を内蔵したチューブライト３の全体を、装飾用フレーム１の形状に沿って配置する。そして、図４に示すように、装飾用フレーム１の係合部１０を構成する一対の挟持片１０Ａ，１０Ｂの間にチューブライト３を嵌め込む。このとき一対の挟持片１０Ａ，１０Ｂは、チューブライト３の押し込みによって、若干外側へ拡開し、チューブライト３が押し込まれた後は、一対の挟持片１０Ａ，１０Ｂが元の状態に復帰して、チューブライト３を両挟持片１０Ａ，１０Ｂによりしっかりと挟み込み、装飾用フレーム１にチューブライト３を固定するのである。
【００２４】
一方、吸盤１１の取り付けに巻回具１２を使用する場合は、図５・図６に示すように、吸盤１１の接続体１８に設けた孔１９に巻回具１２の締結帯１４を貫通させた状態で、装飾用フレーム１とチューブライト３に締結帯１４を巻回する。そして、締結帯１４の先端側を固定体１５に貫通させ、締結帯１４の突片１３を固定体１５の係止片１６に係止させて巻回具１２の締結帯１４を締め付け、装飾用フレーム１に吸盤１１を取り付ける。
【００２５】
この吸盤１１を介して、装飾用フレーム１を、例えば、ガラス２０等の所定の位置に固定できる。このとき、図７に示すように、吸盤１１の吸着面体１７が装飾用フレーム１の裏面側に位置するときは、ガラス２０等の屋外側に装飾用フレーム１を固定するのに適したものとなる。また、図８に示すように、吸盤１１の吸着面体１７が装飾用フレーム１の表面側（チューブライト３側）に位置するときは、ガラス２０等の室内側に装飾用フレーム１を固定するのに適したものとなる。
【００２６】
尚、吸盤１１の吸着面体１７が上部に位置する装飾用フレーム１の上面側に取り付けられたときは、吸盤１１を介して装飾用フレーム１を吊り下げることが可能となる。また、吸盤１１の吸着面体１７が下部に位置する装飾用フレーム１の下面側に取り付けられたときは、吸盤１１を介して装飾用フレーム１を自立させることが可能となる。
【００２７】
さらに、図２に示すように、装飾用フレーム１の上部に所定の孔２１を設けたときは、この孔２１に取付釘等を貫通させて、装飾用フレーム１を吊り下げることが可能となる。
【００２８】
【考案の効果】
本考案に係る装飾用照明装置は、任意形状の装飾用フレーム１と、連なった光源２を内蔵した軟質のチューブライト３とから成り、装飾用フレーム１の形状に沿ってチューブライト３を固定しているため、装飾用照明装置の発光により充分な装飾的効果が得られる。すなわち、チューブライト３の光源２を発光させて、例えば、サンタクロースの姿、クリスマスツリーの姿、星の姿、雪の結晶の姿、トナカイの姿、靴の姿等を暗闇の中に浮かび上がらせることで、クリスマスイルミネーションとして、幻想的できれいな面白味のある装飾を可能とし、これを見る者に強いインパクトを与えることができる。
【００２９】
また、装飾用フレーム１に複数の係合部１０を設け、装飾用フレーム１の係合部１０にチューブライト３を係着させることで、装飾用フレーム１の形状に沿ったチューブライト３の固定が極めて容易である。
【００３０】
すなわち、光源２を内蔵したチューブライト３の全体を、装飾用フレーム１の形状に沿って配置し、装飾用フレーム１の係合部１０を構成する一対の挟持片１０Ａ，１０Ｂの間にチューブライト３を押し込んで嵌め込むだけで、装飾用フレーム１の形状に沿ったチューブライト３の固定を誰もが簡単に行なうことができる。
【００３１】
さらに、装飾用フレーム１の係合部１０は、装飾用フレーム１の幅方向において、向かい合うように立設した一対の挟持片１０Ａ，１０Ｂから成るので、一対の挟持片１０Ａ，１０Ｂの間にチューブライト３を押し込むと、一対の挟持片１０Ａ，１０Ｂは、若干外側へ拡開し、チューブライト３が押し込まれた後は、一対の挟持片１０Ａ，１０Ｂが元の状態に復帰して、チューブライト３を両挟持片１０Ａ，１０Ｂによりしっかりと挟み込み、装飾用フレーム１にチューブライト３を固定できる。
【００３２】
また、装飾用フレーム１には、吸盤１１を取り付けているため、この吸盤１１を介して、装飾用フレーム１を所定の位置に固定することができる。このとき、吸盤１１が装飾用フレーム１の裏面側に位置するときは、ガラス２０等の屋外側に装飾用フレーム１を固定するのに適したものとなる。一方、吸盤１１が装飾用フレーム１の表面側（チューブライト３側）に位置するときは、ガラス２０等の室内側に装飾用フレーム１を固定するのに適したものとなる。
【００３３】
加えて、吸盤１１が上部に位置する装飾用フレーム１の上面側に取り付けられたときは、吸盤１１を介して装飾用フレーム１を吊り下げることができる。この他、吸盤１１が下部に位置する装飾用フレーム１の下面側に取り付けられたときは、吸盤１１を介して装飾用フレーム１を自立させることができる。
【００３４】
また、吸盤１１は、巻回具１２を介して装飾用フレーム１に取り付けられているため、装飾用フレーム１の所定の位置に吸盤１１をしっかりと固定できる。
【００３５】
さらに、巻回具１２は、一面に連続した突片１３を設けた締結帯１４と、締結帯１４の基端部に位置して締結帯１４の先端側を貫通させる環状の固定体１５とから成り、固定体１５は、貫通している締結帯１４の突片１３に係止する係止片１６を備えていることから、締結帯１４の先端側を固定体１５に貫通させるだけで、巻回具１２の締結帯１４をしっかりと締め付けることができる。すなわち、締結帯１４の突片１３が固定体１５の係止片１６に係止するため、締結帯１４を引っ張って締結帯１４をしっかりと締め付けた状態を維持し、締結帯１４が固定体１５から抜けてしまう事態の発生を確実に阻止している。
【００３６】
また、吸盤１１は、吸着面体１７と、吸着面体１７の裏面に設けた突出状の接続体１８とから成り、接続体１８は孔１９を備えているため、接続体１８の孔１９に巻回具１２の締結帯１４を貫通させた状態で、装飾用フレーム１とチューブライト３に締結帯１４を巻回し、締結帯１４の先端側を固定体１５に貫通させることで、装飾用フレーム１に吸盤１１をしっかりと取り付けることができる。
【図面の簡単な説明】
【図１】サンタクロースの姿の形状をした装飾用フレームの輪郭に沿ってチューブライトを固定した状態を示した斜視図である。
【図２】クリスマスツリーの姿の形状をした装飾用フレームの輪郭に沿ってチューブライトを固定した状態を示した概略の平面図である。
【図３】装飾用フレームの係合部を介して、チューブライトを装飾用フレームの形状に沿って固定した状態を示した斜視図である。
【図４】一対の挟持片から成る装飾用フレームの係合部に、チューブライトを嵌め込んで固定する状態を示した分解断面図である。
【図５】吸盤を構成する接続体の孔に巻回具の締結帯を貫通させ、締結帯の先端側を固定体に貫通させた状態を示した断面図である。
【図６】巻回具により装飾用フレームに吸盤を取り付けた状態を示した斜視図である。
【図７】吸盤の吸着面体を装飾用フレームの裏面側に位置させ、ガラス等の屋外側に装飾用フレームを固定した状態を示した一部断面図である。
【図８】吸盤の吸着面体を装飾用フレームの表面側（チューブライト側）に位置させ、ガラス等の室内側に装飾用フレームを固定した状態を示した一部断面図である。
【符号の説明】
１…装飾用フレーム　　　　　　　２…光源
３…チューブライト　　　　　　　４…連結部材
５…チューブ　　　　　　　　　　６…針金部材
７…プラグ　　　　　　　　　　　８…電源コード
９…キャップ　　　　　　　　　１０…係合部
１０Ａ…挟持片　　　　　　　　　１０Ｂ…挟持片
１１…吸盤　　　　　　　　　　　１２…巻回具
１３…突片　　　　　　　　　　　１４…締結帯
１５…固定体　　　　　　　　　　１６…係止片
１７…吸着面体　　　　　　　　　１８…接続体
１９…孔　　　　　　　　　　　　２０…ガラス
２１…孔
【図１】
0003098039.tif 000003
【図２】
0003098039.tif 000004
【図３】
0003098039.tif 000005
【図４】
0003098039.tif 000006
【図５】
0003098039.tif 000007
【図６】
0003098039.tif 000008
【図７】
0003098039.tif 000009
【図８】
0003098039.tif 000010